(57)【要約】【課題】個人別や季節別で収納物を分けて管理することができる利便性の高い収納空間が設けられた居室を備える建物を提供する。【解決手段】２つの隣接した収納空間１１，１２を有する居室２を備えた建物１であって、それぞれの収納空間１１，１２は、それぞれに設けられた出入り口を介して使用者が居室２から中に入ることが可能なウォークインクローゼットであり、それぞれの収納空間１１，１２には、２面以上の壁面に沿ってパイプ部材１３が設けられていることを特徴とする。【選択図】図１
2017186762.tif 000002
【特許請求の範囲】
【請求項１】
２つの隣接した収納空間を有する居室を備えた建物であって、
それぞれの前記収納空間は、それぞれに設けられた出入り口を介して使用者が前記居室から中に入ることが可能なウォークインクローゼットであり、
それぞれの前記収納空間には、２面以上の壁面に沿ってパイプ部材が設けられていることを特徴とする建物。
【請求項２】
それぞれの前記収納空間は、平面視において、収納物を収納する収納領域と、使用者が着替え可能なように少なくとも直径７００ｍｍの円が含まれる大きさの着替え領域とを有する、請求項１に記載の建物。
【請求項３】
それぞれの前記収納空間の幅及び奥行が壁心間の寸法でそれぞれ１２００ｍｍ以上である、請求項１又は２に記載の建物。
【請求項４】
前記２つの収納空間は間仕切壁を介して隣接しており、
前記間仕切壁は、着脱自在な壁パネル部材により構成されている、請求項１〜３の何れか一項に記載の建物。
【請求項５】
前記２つの収納空間は間仕切壁を介して隣接しており、
前記間仕切壁は、レール機構により前記間仕切壁の壁面に直交する方向に可動式である、請求項１〜４の何れか一項に記載の建物。
【発明の詳細な説明】
【技術分野】
【０００１】
本発明は建物に関し、特に、収納空間を有する居室を備えた建物に関する。
【背景技術】
【０００２】
従来、例えば集合住宅等において、衣類やバッグ等の収納物を保管するために、居室にクローゼット等の収納空間を設けることが知られている（特許文献１参照）。特に賃貸用のアパートやマンション等においては、１つの居室内に１つの収納空間が設けられている場合が多い。
【先行技術文献】
【特許文献】
【０００３】
【特許文献１】特開２００３−３４３０９６号公報
【発明の概要】
【発明が解決しようとする課題】
【０００４】
ところで、上記のような収納空間を居室に設けた住宅において、複数人で構成される家族が生活する場合には、複数の使用者が１つの収納空間を共有することがある。このような場合、収納物を使用者ごとに収納場所を区別して収納することが難しいため、収納物の管理が困難となることがあった。また、例えば夏用や冬用の衣類のように、使用する季節ごとに収納物の収納場所を区別して収納し、管理することも困難である。特に賃貸用のアパートやマンション等の集合住宅においては、専有面積が限られているため収納空間の広さや数を十分に確保することが難しく、上記のような問題が顕著である。
【０００５】
それゆえ本発明は、個人別や季節別で収納物を分けて管理することができる利便性の高い収納空間が設けられた居室を備える建物を提供することを目的とする。
【課題を解決するための手段】
【０００６】
本発明は、上記課題を解決するためになされたものであり、本発明の建物は、２つの隣接した収納空間を有する居室を備えた建物であって、
それぞれの前記収納空間は、それぞれに設けられた出入り口を介して使用者が前記居室から中に入ることが可能なウォークインクローゼットであり、
それぞれの前記収納空間には、２面以上の壁面に沿ってパイプ部材が設けられていることを特徴とするものである。
【０００７】
また、本発明の建物にあっては、それぞれの前記収納空間は、平面視において、収納物を収納する収納領域と、使用者が着替え可能なように少なくとも直径７００ｍｍの円が含まれる大きさの着替え領域とを有することが好ましい。
【０００８】
また、本発明の建物にあっては、それぞれの前記収納空間の幅及び奥行が壁心間の寸法でそれぞれ１２００ｍｍ以上であることが好ましい。
【０００９】
また、本発明の建物にあっては、前記２つの収納空間は間仕切壁を介して隣接しており、前記間仕切壁は、着脱自在な壁パネル部材により構成されていることが好ましい。
【００１０】
また、本発明の建物にあっては、前記２つの収納空間は間仕切壁を介して隣接しており、前記間仕切壁は、レール機構により前記間仕切壁の壁面に直交する方向に可動式であることが好ましい。
【発明の効果】
【００１１】
本発明によれば、個人別や季節別で収納物を分けて管理することができる利便性の高い収納空間が設けられた居室を備える建物を提供することが可能となる。
【図面の簡単な説明】
【００１２】
【図１】本発明の一実施形態としての建物における平面図である。
【図２】（ａ）は、収納空間に設けた２枚引違い戸形式の建具を例示する平面図であり、（ｂ）は収納空間に設けた３枚引違い戸形式の建具を例示する平面図であり、（ｃ）は、図１に示す収納空間の間仕切壁の移動後の状態を示す平面図である。
【図３】（ａ）は、間仕切壁を構成する着脱自在な壁パネル部材であって、パイプ部材及び棚板が取付けられた状態の一例を示す図であり、（ｂ）は、着脱自在な壁パネル部材が、床及び天井に設置された桟材に対して締結部材で固定された状態の一例を示す図である。
【図４】間仕切壁を構成し、レール機構により可動式である壁パネル部材により間仕切壁を構成した状態の一例を示す図である。
【発明を実施するための形態】
【００１３】
以下、図面を参照しつつ、本発明に係る建物の実施形態について詳細に説明する。建物１は、居室２、ＬＤＫ３（リビング・ダイニング・キッチン）、玄関４、浴室５、トイレ６、洗面・脱衣室７等を備えている。なお、本実施形態の建物１は、例えば賃貸用の集合住宅における１つの住居とすることができるが、これに限られず、例えば戸建て住宅であってもよい。また、建物１の間取りは、図１に示すようないわゆる１ＬＤＫに限らず、２ＬＤＫや３ＬＤＫとすることも可能である。
【００１４】
居室２は、例えば、壁心間の寸法で、幅が約２７００ｍｍで奥行が約３６００ｍｍの６畳程度の広さを有し、夫婦の寝室として使用される部屋とすることができる。居室２には、同じ壁面側に第１収納空間１１と第２収納空間１２とが間仕切壁１７を介して隣接して設けられている。これら第１収納空間１１及び第２収納空間１２はともに、それぞれに設けられた出入り口を介して使用者が居室２から中に入り収納物の出し入れが可能なウォークインクローゼットであり、少なくとも２面以上の壁面に沿ってパイプ部材１３が設けられている。なお、「２面以上の壁面」とは、各収納空間１１、１２を構成する内面のうち、天井面と床面を除く２つ以上の壁面を意味する。具体的には、収納空間が平面視で矩形の場合、４つの平面状の壁面のうち２つ以上の平面状の壁面を意味し、対向する平行な壁面を含むものである。なお、本実施形態では、壁心間の寸法で、第１収納空間１１の幅を約１２００ｍｍ、第２収納空間１２の幅を約１５００ｍｍとし、奥行を共に１２００ｍｍとしているが、これに限られるものではない。
【００１５】
図示例において、ＬＤＫ３側の第１収納空間１１には、２面の壁面に沿ってパイプ部材１３と棚板１４が設けられている。また、第２収納空間１２には、３面の壁面に沿ってパイプ部材１３と棚板１４が設けられている。なお、第１収納空間１１及び第２収納空間１２において、直交する壁面にそれぞれ設けられた２本のパイプ部材１３は、交わる部分で連結することも可能である。また、棚板１４は、必ずしも必要な構成ではなく、パイプ部材１３のみを設けてもよい。
【００１６】
パイプ部材１３は、近接する壁面と平行に、且つ水平方向に延在する中実体状もしくは管状の部材であり、ハンガー等により衣類を吊り下げ可能とするものである。棚板１４はパイプ部材１３の上方に設けられており、収納物をその上に置くことができる。棚板１４の奥行（それぞれの壁面に直交する長さ）は、例えば２５０〜３００ｍｍとすることができる。なお、パイプ部材１３及び棚板１４は、それぞれの壁面に沿って、高さの異なる位置で複数、設定することも可能である。
【００１７】
本実施形態において、第１収納空間１１及び第２収納空間１２はそれぞれ、使用者が中に入って着替えることが可能な空間を有している。すなわち、図１に示す平面図で、棚板１４及びパイプ部材１３が設けられた領域を収納領域とし、収納領域以外の領域１５を、着替え領域１５とすることができる。着替え領域１５は、例えば、図１に示す平面図で、使用者が着替え可能なように有効寸法で少なくとも直径７００ｍｍの円が含まれる大きさとすることができる。なお、棚板１４が設けられておらず、パイプ部材１３のみが設けられている場合、パイプ部材が設けられている側の壁面からパイプ部材が設けられた領域までを収納領域とし、収納領域以外の領域を着替え領域１５とすることができる。
【００１８】
第１収納空間１１及び第２収納空間１２の出入り口には、それぞれ折り戸形式の建具１６が設けられている。なお、第１収納空間１１及び第２収納空間１２の建具１６は、折り戸形式に限定されず、開き戸、引き戸、引違い戸等の形式の建具を採用することができる。図２（ａ）に示すように２枚引違い戸１６ａの形式の場合には、２枚の引違い戸１６ａの召合せ部１６ｂが第１収納空間１１及び第２収納空間１２を区画する間仕切壁１７の位置に合うように、２枚引違い戸１６ａを配置してもよい。この場合、第１収納空間１１及び第２収納空間１２のそれぞれの出入り口に設けた戸１６ａを、何れか一方側に寄せて前後に重ねることで、他方側の出入り口が開放されて出入り可能となる構成とすることができる。図２（ｂ）に示す３枚引違い戸１６ｃの形式の場合も同様に、２箇所ある召合せ部１６ｄの一方が、第１収納空間１１及び第２収納空間１２を区画する間仕切壁１７の位置に合うように、３枚引違い戸１６ｃを配置してもよい。
【００１９】
上記のような構成を有する建物１にあっては、居室２内に第１収納空間１１及び第２収納空間１２からなる２つの収納空間を設けたことにより、複数人で使用する場合には、衣類等の収納物を使用者ごとに区別してそれぞれの収納空間に収納することができる。また、例えば使用する季節が異なる衣類等を区別して、それぞれの収納空間に収納することができる。これにより、居室２に収納空間が１つのみである場合に比べて利便性が高まり、収納物の管理や整頓が容易になる。特に、賃貸用のマンションやアパート等の集合住宅においては、従来、１つの居室に小さな収納空間が１つだけ設けられている場合が多かったため、本実施形態のように１つの居室２に２つの大きな収納空間を設けることの効果は顕著である。
【００２０】
また、第１収納空間１１及び第２収納空間１２に、２面以上の壁面に沿うようにパイプ部材１３を設けたことで、異なる壁面に沿って設けられたそれぞれのパイプ部材１３に、使用者ごとや季節ごとに衣類等を区別して収納することができる。また、同様に棚板１４も２面以上の壁面に沿って設けているため、より収納物の管理、整頓がし易くなる。
【００２１】
また、第１収納空間１１（ウォークインクローゼット）及び第２収納空間１２（ウォークインクローゼット）は、それぞれに居室２からの出入り口が設けられており、ある使用者が第１収納空間１１の中に入って使用中であっても、その使用者を邪魔することなく、別の使用者は第２収納空間１２を使用することができるので使い勝手が良い。従来、隣接する位置に２つのウォークインクローゼットを設ける床面積を確保できたとしても、２つ分をまとめた広さのウォークインクローゼットを１つのみ設けて、ウォークインクローゼットへの出入り口も１つのみ設けていた。そのため、ある使用者がウォークインクローゼットの中に入って使用中の場合、別の使用者がさらに奥の方に入って収納物を出し入れしようとすると、先に入った使用者を邪魔してしまい使い勝手が悪いという問題があった。そこで、第１収納空間１１（ウォークインクローゼット）と第２収納空間１２（ウォークインクローゼット）との二つの収納空間に敢えて分けて、それぞれに出入り口を設けることにより、このような問題を解決することができる。
【００２２】
また、第１収納空間１１及び第２収納空間１２に着替え領域１５を設けたことで、１つの居室２を共用する２人が、別々の収納空間内でお互いのプライバシーを確保しながら、同時に着替えることが可能となる。特に１ＬＤＫの集合住宅等においては着替え専用の空間を確保することが難しいため、第１収納空間１１及び第２収納空間１２に着替え領域１５を確保することで、より居室２の利便性を高めることができる。なお、第１収納空間１１及び第２収納空間１２には、照明装置が設けられている。また、第１収納空間１１及び第２収納空間１２の出入り口に設けた建具１６の収納空間側には、鏡が設けられている。
【００２３】
ここで、第１収納空間１１及び第２収納空間１２は、壁心間の寸法で幅及び奥行が共に１２００ｍｍ以上であることが好ましく、これによれば、収納領域及び着替え領域１５に十分な広さを確保することができ、より利便性を高めることができる。
【００２４】
また、第１収納空間１１及び第２収納空間１２を区画している間仕切壁１７は、設置位置を移動して第１収納空間１１及び第２収納空間１２の広さを容易に調整できるように、着脱自在な壁パネル部材１７ａにより構成されていることが好ましい。具体的には、間仕切壁１７を１枚または複数枚の壁パネル部材１７ａで構成し、図３（ｂ）に示すように壁パネル部材１７ａの下部を床２１に設置された桟材２２ａにビス等の締結部材２３で固定し、壁パネル部材１７ａの上部を天井２４に設置された桟材２２ｂにビス等の締結部材２３で固定し、壁パネル部材１７ａの上部を天井勝ち納まりとするとともに下部を床勝ち納まりとする。第１収納空間１１及び第２収納空間１２の広さを調整するために壁パネル部材１７ａを移動させる場合、締結部材２３を外して壁パネル部材１７ａをいったん取り外し、移動先の位置に合わせて床２１および天井２４に新たに設置した桟材２２ａ、２２ｂに対して、取り外した壁パネル部材１７ａの上下部を締結部材２３で固定する。このように、天井２４や床２１を壊すことなく間仕切壁１７を取り外して、第１収納空間１１及び第２収納空間１２の幅方向（間仕切壁１７の壁面に直交する方向）に容易に移動することができる。図２（ｃ）は、図１に示す状態から、第１収納空間１１と第２収納空間１２の大きさが入れ替わるように、すなわち、第１収納空間１１が第２収納空間１２よりも大きくなるように間仕切壁１７を移動させた状態を示したものである。なお、この例では、間仕切壁１７に設けられていた第２収納空間１２側のパイプ部材１３及び棚板１４を取外した様子を示しているが、間仕切壁１７の何れか一方側または両側に、パイプ部材１３もしくは棚板１４、またはそれら両方を設けてもよい。なお、間仕切壁１７を移動させる距離は、任意に決定することができるが、例えば、建物の設計に用いた所定のモジュール寸法のＮ倍だけ、移動させてもよい。
【００２５】
間仕切壁１７の設置位置を移動させる別の方法としては、図４に示すように天井２４および床２１の少なくとも一方に、第１収納空間１１及び第２収納空間１２の幅方向に延在するレール２５を設け、当該レール２５に対応する車輪２６等の部材を設けたレール機構により間仕切壁１７をレール２５に沿ってスライドさせる可動式としてもよい。間仕切壁１７を可動式とした場合、間仕切壁１７に直交する方向（第１収納空間１１及び第２収納空間１２の幅方向）に延在するパイプ部材１３及び棚板１４は、伸縮自在な構成とすることが好ましい。あるいは、間仕切壁１７に対して、当該パイプ部材１３及び棚板１４が貫通可能な孔や切欠き等を設けてもよい。
【００２６】
このような構成とすることで、隣接する第１収納空間１１及び第２収納空間１２の相対的な広さ（容積）の比率を適宜調整することができ、使用者ごとや季節ごとに区別した収納物の量の比率が変化したときにも、柔軟に対応することが可能となる。特に、間仕切壁１７を着脱自在な壁パネル部材１７ａで構成した場合や、間仕切壁１７を可動式とした場合は、間仕切壁１７と直交する方向に延在するパイプ部材１３や棚板１４を設け、例えば伸縮自在とすること等により、間仕切壁１７の移動に伴って使用可能な収納領域を変動できる構成とすることが好ましい。これによれば、収納物の量の比率が変化したときに、より柔軟に対応することが可能となる。
【００２７】
なお、パイプ部材１３や棚板１４の高さは自由に変更可能とすることが好ましい。具体的には、例えば図３に示すように、一対の棚柱１８を平行に壁面に取付け、棚柱１８に着脱自在に取付けたパイプ受金具１９及び棚受２０を介してパイプ部材１３及び棚板１４をそれぞれ取付ける構成とすることができる。このような構成とすることで、棚柱１８からパイプ受金具１９及び棚受２０を取り外して高さを調整することが可能となり、収納物の寸法に応じてパイプ部材１３や棚板１４の高さを適宜変更することができる。
【００２８】
以上、図示例に基づき説明したが、本発明は上述の実施形態に限定されるものでなく、特許請求の範囲の記載範囲内で適宜変更することができるものであり、例えば、居室２内に、３つ以上の収納空間を設けてもよく、この場合、３つ以上の収納空間のうちの２つの収納空間だけに２面以上の壁面に沿って配置されたパイプ部材を有する構成としてもよい。また、建物１を、所定のモジュール寸法に基づいて設計され、予め規格化された部材（柱、梁、外装部材、内装部材等）を用いて構成された工業化住宅とすることも可能である。この場合、間仕切壁１７は、所定のモジュール寸法に合わせた平面上の位置に設けられており、パイプ部材１３や棚板１４の長さは、所定のモジュールに対応する規格寸法で設計されている。また、第１収納空間１１及び第２収納空間１２を区画している間仕切壁１７を移動する際、所定のモジュール寸法のＮ倍の距離を移動させてもよい。この場合、広さが調整された後の第１収納空間１１及び第２収納空間１２において、所定のモジュールに対応する規格寸法で設計されたパイプ部材や棚板を利用することができる。また、建物の各空間を仕切る間仕切壁の厚みは、７０ｍｍ〜１４０ｍｍ程度の範囲で、所定の寸法としてもよい。
【符号の説明】
【００２９】
１  建物
２  居室
３  ＬＤＫ（リビング・ダイニング・キッチン）
４  玄関
５  浴室
６  トイレ
７  洗面・脱衣室
１１  第１収納空間（収納空間）
１２  第２収納空間（収納空間）
１３  パイプ部材
１４  棚板
１５  着替え領域
１６  建具
１７  間仕切壁
１７ａ  壁パネル部材
１８  棚柱
１９  パイプ受金具
２０  棚受
２１  床
２２ａ、２２ｂ  桟材
２３  締結部材
２４  天井
２５  レール
２６  車輪
【図１】
2017186762.tif 000003
【図２】
2017186762.tif 000004
【図３】
2017186762.tif 000005
【図４】
2017186762.tif 000006